【手続補正書】
【提出日】平成15年12月18日(2003.12.18)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
熱定着用の定着手段と、該定着手段に配設され各々発熱分布及び発熱量が相異すると共に前記定着手段を加熱する第一及び第二の発熱手段とを具備し、感光体上に画像の潜像を行うと共に潜像された画像に応じて記録媒体上に現像剤を付着させ、該現像剤を前記第一及び第二の発熱手段で加熱された前記定着手段により熱定着させる画像形成装置であって、
前記定着手段の加熱時に、前記第一の発熱手段への通電、前記第一及び第二の発熱手段への同時通電、前記第二の発熱手段への通電、前記第一及び第二の発熱手段への同時通電、前記第一の発熱手段への通電という順序で通電制御を行うと共に、前記加熱時の最初の通電開始から所定の回数だけ前記第一及び第二の発熱手段への同時通電を行わないように制御する通電制御手段を有することを特徴とする画像形成装置。
【請求項２】
前記通電制御手段は、前記加熱時の最初の通電開始から１回目の前記第一及び第二の発熱手段への同時通電を行わないように制御することを特徴とする請求項１記載の画像形成装置。
【請求項３】
前記通電に用いる交流電源からの入力電圧を検出する入力電圧検出手段を有し、前記通電制御手段は、前記入力電圧検出手段で検出した入力電圧が特定の範囲にある場合、前記第一及び第二の発熱手段への同時通電を行わない制御に移行することを特徴とする請求項１記載の画像形成装置。
【請求項４】
熱定着用の定着手段と、該定着手段に配設され各々発熱分布及び発熱量が相異すると共に前記定着手段を加熱する第一及び第二の発熱手段とを具備し、感光体上に画像の潜像を行うと共に潜像された画像に応じて記録媒体上に現像剤を付着させ、該現像剤を前記第一及び第二の発熱手段で加熱された前記定着手段により熱定着させる画像形成装置であって、
前記定着手段の加熱時に、前記第一の発熱手段への通電、前記第一及び第二の発熱手段への同時通電、前記第二の発熱手段への通電、前記第一及び第二の発熱手段への同時通電、前記第一の発熱手段への通電という順序で通電制御を行うと共に、前記加熱時の最初の通電開始から所定の回数だけ前記第一及び第二の発熱手段への同時通電を行わないように制御する第一の通電制御手段と、前記通電に用いる交流電源のゼロクロスポイントを検出するゼロクロス検出手段と、前記第一及び第二の発熱手段への非通電状態が一定時間以上継続した後の前記第一及び第二の発熱手段への１回目の通電時には、前記ゼロクロス検出手段の検出信号を用いて前記第一及び第二の発熱手段へ予め設定された位相角での位相制御を一定時間行った後に通常の通電状態へ移行させる第二の通電制御手段とを有することを特徴とする画像形成装置。
【請求項５】
前記第一の通電制御手段による通電制御と前記第二の通電制御手段による通電制御とを同時に行う制御手段を有することを特徴とする請求項４記載の画像形成装置。
【請求項６】
前記第一の発熱手段に対する位相制御の位相角と、前記第二の発熱手段に対する位相制御の位相角とが異なることを特徴とする請求項４記載の画像形成装置。
【請求項７】
前記第一の発熱手段に対する位相制御の時間と、前記第二の発熱手段に対する位相制御の時間とが異なることを特徴とする請求項４記載の画像形成装置。
【請求項８】
複写装置、或いはプリンタ装置、或いはファクシミリ装置、或いは複写機能・プリンタ機能・ファクシミリ機能のうち任意の複数の機能を有する複合機に適用可能であることを特徴とする請求項１乃至７の何れかに記載の画像形成装置。
【手続補正３】
【補正対象書類名】明細書
【補正対象項目名】０００１
【補正方法】変更
【補正の内容】
【０００１】
【発明の属する技術分野】
本発明は、画像形成装置に関し、特に、複写機、プリンタ、ファクシミリ装置などにおいて、加熱した定着ローラを用いて用紙上のトナーを熱定着させるような場合に適用して好適な画像形成装置に関する。


【手続補正４】
【補正対象書類名】明細書
【補正対象項目名】００１２
【補正方法】変更
【補正の内容】
【００１２】
本発明は、上述した点に鑑みなされたものであり、電源系統に対する弊害（フリッカ）を軽減することができる画像形成装置を提供することを目的とする。


【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
【課題を解決するための手段】
上記目的を達成するため、請求項１の発明は、熱定着用の定着手段と、該定着手段に配設され各々発熱分布及び発熱量が相異すると共に前記定着手段を加熱する第一及び第二の発熱手段とを具備し、感光体上に画像の潜像を行うと共に潜像された画像に応じて記録媒体上に現像剤を付着させ、該現像剤を前記第一及び第二の発熱手段で加熱された前記定着手段により熱定着させる画像形成装置であって、前記定着手段の加熱時に、前記第一の発熱手段への通電、前記第一及び第二の発熱手段への同時通電、前記第二の発熱手段への通電、前記第一及び第二の発熱手段への同時通電、前記第一の発熱手段への通電という順序で通電制御を行うと共に、前記加熱時の最初の通電開始から所定の回数だけ前記第一及び第二の発熱手段への同時通電を行わないように制御する通電制御手段を有することを特徴とする。


【手続補正１４】
【補正対象書類名】明細書
【補正対象項目名】００２２
【補正方法】変更
【補正の内容】
【００２２】
上記目的を達成するため、請求項２の発明は、前記通電制御手段は、前記加熱時の最初の通電開始から１回目の前記第一及び第二の発熱手段への同時通電を行わないように制御することを特徴とする。


【手続補正１５】
【補正対象書類名】明細書
【補正対象項目名】００２３
【補正方法】変更
【補正の内容】
【００２３】
上記目的を達成するため、請求項３の発明は、前記通電に用いる交流電源からの入力電圧を検出する入力電圧検出手段を有し、前記通電制御手段は、前記入力電圧検出手段で検出した入力電圧が特定の範囲にある場合、前記第一及び第二の発熱手段への同時通電を行わない制御に移行することを特徴とする。


【手続補正１６】
【補正対象書類名】明細書
【補正対象項目名】００２４
【補正方法】変更
【補正の内容】
【００２４】
上記目的を達成するため、請求項４の発明は、熱定着用の定着手段と、該定着手段に配設され各々発熱分布及び発熱量が相異すると共に前記定着手段を加熱する第一及び第二の発熱手段とを具備し、感光体上に画像の潜像を行うと共に潜像された画像に応じて記録媒体上に現像剤を付着させ、該現像剤を前記第一及び第二の発熱手段で加熱された前記定着手段により熱定着させる画像形成装置であって、前記定着手段の加熱時に、前記第一の発熱手段への通電、前記第一及び第二の発熱手段への同時通電、前記第二の発熱手段への通電、前記第一及び第二の発熱手段への同時通電、前記第一の発熱手段への通電という順序で通電制御を行うと共に、前記加熱時の最初の通電開始から所定の回数だけ前記第一及び第二の発熱手段への同時通電を行わないように制御する第一の通電制御手段と、前記通電に用いる交流電源のゼロクロスポイントを検出するゼロクロス検出手段と、前記第一及び第二の発熱手段への非通電状態が一定時間以上継続した後の前記第一及び第二の発熱手段への１回目の通電時には、前記ゼロクロス検出手段の検出信号を用いて前記第一及び第二の発熱手段へ予め設定された位相角での位相制御を一定時間行った後に通常の通電状態へ移行させる第二の通電制御手段とを有することを特徴とする。


【手続補正１７】
【補正対象書類名】明細書
【補正対象項目名】００２５
【補正方法】変更
【補正の内容】
【００２５】
上記目的を達成するため、請求項５の発明は、前記第一の通電制御手段による通電制御と前記第二の通電制御手段による通電制御とを同時に行う制御手段を有することを特徴とする。


【手続補正１８】
【補正対象書類名】明細書
【補正対象項目名】００２６
【補正方法】変更
【補正の内容】
【００２６】
上記目的を達成するため、請求項６の発明は、前記第一の発熱手段に対する位相制御の位相角と、前記第二の発熱手段に対する位相制御の位相角とが異なることを特徴とする。


【手続補正１９】
【補正対象書類名】明細書
【補正対象項目名】００２７
【補正方法】変更
【補正の内容】
【００２７】
上記目的を達成するため、請求項７の発明は、前記第一の発熱手段に対する位相制御の時間と、前記第二の発熱手段に対する位相制御の時間とが異なることを特徴とする。


【手続補正２０】
【補正対象書類名】明細書
【補正対象項目名】００２８
【補正方法】変更
【補正の内容】
【００２８】
上記目的を達成するため、請求項８の発明は、複写装置、或いはプリンタ装置、或いはファクシミリ装置、或いは複写機能・プリンタ機能・ファクシミリ機能のうち任意の複数の機能を有する複合機に適用可能であることを特徴とする。


【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００９７
【補正方法】削除
【補正の内容】
【手続補正３８】
【補正対象書類名】明細書
【補正対象項目名】００９８
【補正方法】削除
【補正の内容】
【手続補正３９】
【補正対象書類名】明細書
【補正対象項目名】００９９
【補正方法】変更
【補正の内容】
【００９９】
【発明の効果】
以上説明したように、請求項１〜８記載の画像形成装置によれば、電源系統に対する弊害（フリッカ）を軽減することができると共に、他のパラメータが取り入れ易いという幅広い応用性と、短い検討時間での制御系の確立が可能という、開発効率の良さを併せ持っているという効果を奏する。


【手続補正４０】
【補正対象書類名】明細書
【補正対象項目名】０１００
【補正方法】削除
【補正の内容】
【手続補正４１】
【補正対象書類名】明細書
【補正対象項目名】０１０１
【補正方法】削除
【補正の内容】